(57)【要約】  本発明は、冷蔵・冷凍設備等の改変・改造や環境情報を取得するためのセンサ等の導入等を不要とし、冷凍ショーケースを既に導入している顧客店舗等においてフィルタ清掃が実施されたことの監視を簡易化する。状態推定装置は、冷蔵・冷凍設備の電源供給部での電流情報を取得する電流情報取得部と、前記冷蔵・冷凍設備のフィルタが清浄な状態で取得された前記冷蔵・冷凍設備の電流情報と、状態推定実施前に、所定の時間間隔で１又は複数回取得された前記冷蔵・冷凍設備の電流情報を保持する電流情報保持部と、状態推定実施時点で取得した前記電流情報と、前記電流情報保持部に保持されている前記電流情報に基づき、前記状態推定実施時点で取得した前記電流情報の変化度合いを導出し、さらに前記電流情報保持部に保持されている前記電流情報のうち少なくとも１対の前記電流情報に関する変化度合いを導出する評価部と、前記電流情報保持部に保持されている前記電流情報のうち少なくとも１対の前記電流情報に関する変化度合いと、前記状態推定実施時点で取得した前記電流情報の変化度合いに基づき、前記冷蔵・冷凍設備のフィルタ清掃が実施されたか否かの判定を行うフィルタ清掃実施判定部と、前記判定結果を出力する出力部を備える。
2020136756.tif 000002
【特許請求の範囲】
【請求項１】
冷蔵・冷凍設備の電源供給部での電流情報を取得する電流情報取得部と、
前記冷蔵・冷凍設備のフィルタが清浄な状態で取得された前記冷蔵・冷凍設備の電流情報と、状態推定実施前に、所定の時間間隔で１又は複数回取得された前記冷蔵・冷凍設備の電流情報を保持する電流情報保持部と、
状態推定実施時点で取得した前記電流情報と前記電流情報保持部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出する評価部と、
前記状態推定実施時点で取得した前記電流情報の変化度合いと、前記電流情報保持部に保持されている前記電流情報のうち少なくとも１対の前記電流情報に関する変化度合いとに基づき、前記冷蔵・冷凍設備のフィルタ清掃が実施されたか否かの判定を行うフィルタ清掃実施判定部と、
前記判定結果を出力する出力部と、
を備えた状態推定装置。
【請求項２】
前記評価部は、前記電流情報保持部に保持されている、取得時点が異なる複数の前記電流情報から、前記冷蔵・冷凍設備の電流情報の変化度合いの傾向変動を導出し、
前記フィルタ清掃実施判定部は、前記状態推定実施時点で取得した前記電流情報の変化度合いが、前記電流情報の変化度合いの前記傾向変動から外れ、前記フィルタが清浄な状態での前記電流情報に近づくか一致する場合、前記フィルタの清掃が実施されたものと判定する、ことを特徴とする請求項１に記載の状態推定装置。
【請求項３】
前記評価部は、前記電流情報保持部に保持されている、取得時点の異なる前記各電流情報と前記フィルタが清浄な状態で取得された前記電流情報との相関値と、
前記状態推定実施時点の前記電流情報と前記フィルタが清浄な状態で取得された前記電流情報との相関値を計算し、
前記フィルタ清掃実施判定部は、前記状態推定実施時点の前記電流情報と前記フィルタが清浄な状態で取得された前記電流情報との前記相関値が、前記電流情報保持部に保持されている、取得時点の異なる前記各電流情報と前記フィルタが清浄な状態で取得された前記電流情報との前記相関値の減少傾向変動から、増加に転じた場合、前記フィルタの清掃が実施されたものと判定する、ことを特徴とする請求項１又は２に記載の状態推定装置。
【請求項４】
前記評価部は、前記電流情報保持部に保持されている、取得時点が相前後する各一対の電流情報の相関値を計算し、前記状態推定実施時点の前記電流情報と前記状態推定実施時点の１つ前に取得された前記電流情報との相関値を計算し、
前記フィルタ清掃実施判定部は、前記状態推定実施時点の前記電流情報と前記状態推定実施時点の１つ前に取得された前記電流情報との相関値が、前記電流情報保持部に保持されている、取得時点が相前後する各一対の電流情報の相関値の傾向変動から外れて減少に転じた場合、前記フィルタの清掃が実施されたものと判定する、ことを特徴とする請求項１又は２に記載の状態推定装置。
【請求項５】
前記評価部は、前記状態推定実施時点に取得した前記電流情報に対して外れ値検出を行い、
前記フィルタ清掃実施判定部は、前記状態推定実施時点の電流情報が、前記状態推定実施前の電流情報に対してのみ未知判定とされた場合、前記フィルタの清掃が実施されたものと判定する、ことを特徴とする請求項１又は２に記載の状態推定装置。
【請求項６】
前記評価部は、前記状態推定実施時点に取得した前記電流情報と、前記電流情報保持部に保持されている前記電流情報との差分値を計算し、
前記フィルタが清浄な状態での電流情報に対する差分の統計値が、前記状態推定実施前に取得され前記電流保持部に保持されている電流情報に対する差分の統計値よりも小さい場合、前記フィルタ清掃実施判定部は、前記フィルタの清掃が実施されたものと判定する、ことを特徴とする請求項１又は２に記載の状態推定装置。
【請求項７】
前記評価部は、取得した前記電流情報の平均値に基づき、前記冷蔵・冷凍設備が正常な状態での電流情報との変化度合いを導出する、ことを特徴とする請求項１又は２に記載の状態推定装置。
【請求項８】
冷蔵・冷凍設備の電源供給部での電流情報を取得し、
前記冷蔵・冷凍設備のフィルタ清掃後の前記フィルタが清浄な状態で取得された前記冷蔵・冷凍設備の電流情報と、前記フィルタ清掃後、状態推定実施前に所定の時間間隔で１又は複数回取得された電流情報を記憶部に保持し、
状態推定実施時点で取得した前記電流情報と前記記憶部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出し、
前記状態推定実施時点で取得した前記電流情報の変化度合いと、前記記憶部に保持されている前記電流情報のうち少なくとも１対の前記電流情報に関する変化度合いとに基づき、前記冷蔵・冷凍設備のフィルタ清掃が実施されたか否かの判定を行う、ことを特徴とする状態推定方法。
【請求項９】
前記記憶部に保持されている、取得時点が異なる複数の前記電流情報から、前記冷蔵・冷凍設備の電流情報の変化度合いの傾向変動を導出し、
前記状態推定実施時点で取得した前記電流情報の変化度合いが、前記電流情報の変化度合いの前記傾向変動から外れ、前記フィルタが清浄な状態での前記電流情報に近づくか一致する場合、前記フィルタの清掃が実施されたものと判定する、ことを特徴とする請求項８に記載の状態推定方法。
【請求項１０】
前記記憶部に保持されている、取得時点の異なる前記各電流情報と前記フィルタが清浄な状態で取得された前記電流情報との相関値と、
前記状態推定実施時点の前記電流情報と前記フィルタが清浄な状態で取得された前記電流情報との相関値を計算し、
前記状態推定実施時点の前記電流情報と前記フィルタが清浄な状態で取得された前記電流情報との前記相関値が、前記記憶部に保持されている、取得時点の異なる前記各電流情報と前記フィルタが清浄な状態で取得された前記電流情報との前記相関値の減少傾向変動から、増加に転じた場合、前記フィルタの清掃が実施されたものと判定する、ことを特徴とする請求項８又は９に記載の状態推定方法。
【請求項１１】
前記記憶部に保持されている、取得時点が相前後する各一対の電流情報の相関値を計算し、前記状態推定実施時点の前記電流情報と前記状態推定実施時点の１つ前に取得された前記電流情報との相関値を計算し、
前記状態推定実施時点の前記電流情報と前記状態推定実施時点の１つ前に取得された前記電流情報との相関値が、前記記憶部に保持されている、取得時点が相前後する各一対の電流情報の相関値の傾向変動から外れて減少に転じた場合、前記フィルタの清掃が実施されたものと判定する、ことを特徴とする請求項８又は９に記載の状態推定方法。
【請求項１２】
冷蔵・冷凍設備の電源供給部での電流情報を取得する処理と、
前記冷蔵・冷凍設備のフィルタ清掃後の前記フィルタが清浄な状態で取得された前記冷蔵・冷凍設備の電流情報と、前記フィルタ清掃後、状態推定実施前に所定の時間間隔で１又は複数回取得された電流情報を記憶部に記憶保持する処理と、
状態推定実施時点で取得した前記電流情報と前記記憶部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出する処理と、
前記状態推定実施時点で取得した前記電流情報の変化度合いと、前記記憶部に保持されている前記電流情報のうち少なくとも１対の前記電流情報に関する変化度合いとに基づき、前記冷蔵・冷凍設備のフィルタ清掃が実施されたか否かの判定を行う処理と、をコンピュータに実行させるプログラムを記録したプログラム記録媒体。
【発明の詳細な説明】
【技術分野】
【０００１】
本発明は、状態推定装置と方法とプログラム記録媒体に関する。
【背景技術】
【０００２】
コンビニエンス・ストアやスーパーマーケット等の店舗には、冷蔵・冷凍食品を陳列するための冷蔵・冷凍設備（例えば冷凍ショーケース）が多く設置されている。【０００３】
冷凍ショーケースの例として、例えば特許文献１や特許文献２等の記載が参照される。図１は、平型オープンショーケースの構成の一例を模式的に例示した図である。【０００４】
図１において、エアダクト２１２の一端の供給口２１３から陳列室（オープンショーケース）２１５に冷風が供給され、エアダクト２１２の他端の吸引口２１４から空気（高温）が吸引され、蒸発機（エバポレータ）２０４で熱交換された低温空気が送風機２１１によって送風され供給口２１３から送出される。蒸発機２０４での熱交換の結果、冷媒（液体）は気化され低圧ガスが圧縮機（コンプレッサ）２０１に供給される。低圧ガスは圧縮機（コンプレッサ）２０１で圧縮されて高温高圧ガスとなる。圧縮機（コンプレッサ）２０１からの高温高圧ガスは凝縮機（コンデンサ）２０２に供給され、低温水と熱交換されて高圧液とされ、膨張機２０３で膨張され低圧液となる。膨張機２０３からの低圧液は蒸発機２０４に供給される。すなわち、圧縮機（コンプレッサ）２０１、凝縮機（コンデンサ）２０２、膨張機２０３、蒸発機２０４は冷凍サイクルを構成する。【０００５】
蒸発機２０４の除霜運転時、バイパス弁２０５は開となり、圧縮機（コンプレッサ）２０１からの高温高圧ガスが蒸発機２０４に供給される。ヒータ方式の場合、除霜運転時、除霜用ヒータ２１０を動作させる。陳列室２１５の下側に設けた機械室には、上記冷凍サイクルを形成する圧縮機２０１、凝縮機２０２等の冷却機器や凝縮機２０２等を冷却する送風機２０８、制御装置２０９等が設置される。機械室の一方の側壁には外気を吸入するための外気取入口が形成されており、他方の側壁には廃熱口２０７が形成されている。外気取入口の近傍には塵埃を濾過するためのエアフィルタ２０６（「凝縮機フィルタ」、「フィルタ」ともいう）が着脱自在に設置されている。なお、エアダクト２１２内の吸引口２１４側には、供給口２１３と吸引口２１４間の通風状況を監視するための風速計等が設けられる場合もある。図１の構成例では、陳列室２１５あるいはエアダクト２１２内の供給口２１３付近には、温度センサ（不図示）が設けられ、制御装置２０９では、温度制御動作（冷却運転のＯＮ、ＯＦＦ制御）を制御する。【０００６】
冷凍ショーケース２０の故障で一番多い原因は、空冷型の凝縮機（コンデンサ）２０２のフィルタの目詰まりといわれている。フィルタ２０６がゴミやホコリで目詰まりすると冷却能力が低下し、冷凍ショーケース２０の運転時の電源電流が増加する。フィルタ２０６を清掃しないまま放置し続けると、冷凍ショーケース２０の故障の原因となる。このため、冷凍ショーケース２０を使用する際には、フィルタ２０６の清掃が必要である。例えば、冷凍ショーケース２０のベンダー等により、一般に、１〜２週間に１回程度での定期的なフィルタの清掃が推奨されている。しかしながら、フィルタ２０６は店舗床面に近く、店舗の環境や来客数等によって、フィルタの目詰まりの進行にはばらつきがある。さらに、店舗従業員やアルバイトがフィルタの清掃を徒過してしまう場合も多々あるといわれる。【０００７】
冷蔵・冷凍設備以外の装置を含め、フィルタの清掃時を通知する手法に関して各種手法が開示されている。【０００８】
特許文献３には、光ドライブシステムの冷却機構のエアフィルタの清掃時期の把握手法が開示されている。電源によりドライブ本体が駆動された時間を累積して計数し、所定の時間が計数されると、エアフィルタの清掃時期（または交換時期）であることを通知する。【０００９】
特許文献４には、空気清浄機又は冷暖房装置等の空気調和装置において、光によるフィルタ目詰まりを検出する手法が開示されている。発光・受光部を、フィルタおよび気流に対して適切に配置して、精度よく透過率の変化を検知でき、安定したフィルタの目詰まりの検出を可能としている。【００１０】
特許文献５には、ファンまたはモータの回転数は、雰囲気温度やモータの巻線温度、電源電圧によっても変動するため、これのみでフィルタ目詰まりを検出すると誤差が大きいという課題に対して、換気送風装置のフィルタ前後の差圧測定によって、フィルタ目詰まりと判定する手法が開示されている。【００１１】
特許文献６には、空気調和機のエアフィルタの清掃時期の検知手法が開示されている。エアフィルタを通過する空気量とファン回転数（またはその制御値）との関係から、正常／目詰まりの判定を行う。しかしながら、特許文献６の手法では、設備に設置する追加のセンサ等が必要である。このため、顧客店舗で使用している冷蔵・冷凍設備の導入は難しい。【００１２】
特許文献７には、機器が使用される外気温と外気圧を計測することで、その使用環境を把握し、エアフィルタの目詰まり度合いを正確に判断することで、その使用環境に応じて、冷却ファンの回転数を制御したり、電源を遮断したり、使用者にエアフィルタの清掃や交換を促すサインを出すことのできる過熱保護装置及び該装置を備えたプロジェクターが開示されている。【００１３】
特許文献８には、特定の運転のブロアーの電流値を計測し、フィルタの目詰まりに起因する電流の変化による、フィルタ目詰まりを検出することで、圧力センサ等の機器を使用せずに、フィルタの目詰まりの検出を可能にして、コストを下げることができるように工夫したフィルタ目詰まり検出機能を備えた床面清掃機が開示されている。特許文献８の手法では、電流を使用するのがファンのみであることから、冷蔵・冷凍設備に導入するには、該設備に、ファンのみの電流値を計測するセンサ等が必要である。顧客店舗で使用している冷蔵・冷凍設備への導入は難しい。【００１４】
特許文献９には、ショーケースの、庫内温度と運転状況から、フィルタ清掃優先度の算出手法が開示されている。ショーケースの有する診断用内部情報・運転制御情報から、ショーケースの負荷率を算出し、負荷率の度合いから冷却装置の汚れ具合を把握する。しかしながら、内部診断用情報等へのアクセスは、冷蔵・冷凍設備等の設備メーカーの協力等が必要であり、情報収集のための装置も必要となる。【００１５】
さらに特許文献１０には、収納部と前記収納部外の空間との間で通気可能な空気フィルタと、被冷却装置の消費電力を検出する消費電力検出部と、送風機の回転数を検出する回転数検出部と、被冷却装置の部品の実装密度を算出する実装密度算出部を備え、消費電力が所定の閾値以下であり、かつ、送風機の回転数が所定の範囲内であって、収容部内の温度と収容部外の温度との差が、前記実装密度及び前記消費電力に依存する所定の閾値を超える場合に、空気フィルタの状態が目詰まりであると判定する構成が開示されている。特許文献１０においても、消費電力検出部以外に、送風機の回転数検出部、実装密度算出部等が必要とされる。【００１６】
特許文献１１には、冷蔵・冷凍設備の電源供給部での電流情報を取得する電流情報取得部と、前記冷蔵・冷凍設備が正常な状態での電流情報を保持する電流情報保持部と、取得した前記電流情報と、前記冷蔵・冷凍設備が正常な状態での電流情報からの変化度合いを導出する評価部と、前記変化度合いに基づき、前記冷蔵・冷凍設備のフィルタの目詰まり状態を推定し、前記フィルタの清掃の要否の判定を行うフィルタ清掃判定部と、前記フィルタの清掃が必要であるという判定結果に対してその旨を出力する出力部と、を備えた状態推定装置が開示されている。【００１７】
特許文献１２には、ファンモータの電流値は、フィルタが清浄時にはフィルタの空気抵抗が少ないため多くの空気が通過し、ファンモータの負荷は重くなり、その電流値Ｉ0は、大きい。フィルタが目詰まりを起こしてくるとフィルタを通過する空気の量が減少するため、ファンモータの負荷は軽くなり、その電流値はＩ1のように減少してくる。この電流値をファンモータの電流検知回路で検知し、フィルタが清浄時の電流Ｉ0と電流比較回路で比較し、その変化量があらかじめ定められた値を越えたときに表示回路を駆動し、表示部でフィルタ交換時期がきたことを表示する構成が開示されている。
【先行技術文献】
【特許文献】
【００１８】
【特許文献１】特開２００４−０４５０１８号公報
【特許文献２】特開２００８−１５１４５２号公報
【特許文献３】特開平０７−２６２７６６号公報
【特許文献４】特開２０１４−０６６４４６号公報
【特許文献５】特開２００５−１０６３２３号公報
【特許文献６】特開平８−２５７３３２号公報
【特許文献７】特開２００８−２６２０３３号公報
【特許文献８】特開２００６−２８８５１３号公報
【特許文献９】特開２０１６−２２３７１１号公報
【特許文献１０】特開２０１１−２４９５２２号公報
【特許文献１１】特許第６３６５７９７号公報
【特許文献１２】特開平０５−７６７１３号公報
【発明の概要】
【発明が解決しようとする課題】
【００１９】
以下に関連技術の分析を与える。設置環境等によって、冷凍ショーケース等冷蔵・冷凍設備のフィルタの目詰まり状態が、フィルタ清掃時期に達する時間（期間）は相違する。そのため、冷凍ショーケース等冷蔵・冷凍設備のフィルタの清掃が実際に実施されているかを判断するためには、フィルタの目詰まり状態を監視・把握し、事前に閾値を設定し、フィルタの目詰まりが解消したことを検知する必要がある。【００２０】
関連技術では、フィルタが目詰まり状態の監視システムを導入する場合、既存の冷蔵・冷凍設備や管理システムの改変、改造が必要とされる。【００２１】
一例として、冷蔵・冷凍設備の設置環境を考慮して閾値を設定することでフィルタ目詰まりの状態を監視する場合、該設置環境（外部環境）を取得するためのセンサ等の設置が別途必要である。【００２２】
エリア展開あるいは全国展開が行われるスーパーマーケット、コンビニ等の店舗においては、導入済みの冷凍ショーケース等冷蔵・冷凍設備の改変、改造等は、著しく困難である。すなわち、フィルタ清掃冷蔵・冷凍設備を既に導入している顧客店舗等においてフィルタ清掃が実施されたことを監視するシステムの導入を容易化し、導入を促進することは困難である。【００２３】
本発明は、上記課題に鑑みて創案されたもののであって、その目的は、冷蔵・冷凍設備等の改変・改造や、環境情報を取得するためのセンサの導入等を不要とし、例えば冷蔵・冷凍設備等を既に導入している顧客店舗等において当該冷蔵・冷凍設備等のフィルタの清掃が実施されたことの監視を簡易化する装置、方法、プログラム記録媒体を提供することにある。
【課題を解決するための手段】
【００２４】
本発明の一形態によれば、冷蔵・冷凍設備の電源供給部での電流情報を取得する電流情報取得部と、
前記冷蔵・冷凍設備のフィルタが清浄な状態で取得された前記冷蔵・冷凍設備の電流情報と、状態推定実施前に、所定の時間間隔で１又は複数回取得された前記冷蔵・冷凍設備の電流情報を保持する電流情報保持部と、
状態推定実施時点で取得した前記電流情報と前記電流情報保持部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出する評価部と、
前記状態推定実施時点で取得した前記電流情報の変化度合いと、前記電流情報保持部に保持されている前記電流情報のうち少なくとも１対の前記電流情報に関する変化度合いとに基づき、前記冷蔵・冷凍設備のフィルタ清掃が実施されたか否かの判定を行うフィルタ清掃実施判定部と、
前記判定結果を出力する出力部と、を備えた状態推定装置が提供される。【００２５】
本発明の一形態によれば、冷蔵・冷凍設備の電源供給部での電流情報を取得し、
前記冷蔵・冷凍設備のフィルタ清掃後の前記フィルタが清浄な状態で取得された前記冷蔵・冷凍設備の電流情報と、前記フィルタ清掃後、状態推定実施前に所定の時間間隔で１又は複数回取得された電流情報を記憶部に保持し、
状態推定実施時点で取得した前記電流情報と前記記憶部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出し、
前記状態推定実施時点で取得した前記電流情報の変化度合いと、前記記憶部に保持されている前記電流情報のうち少なくとも１対の前記電流情報に関する変化度合いとに基づき、前記冷蔵・冷凍設備のフィルタ清掃が実施されたか否かの判定を行う状態推定方法が提供される。【００２６】
本発明の一形態によれば、冷蔵・冷凍設備の電源供給部での電流情報を取得する処理と、
前記冷蔵・冷凍設備のフィルタ清掃後の前記フィルタが清浄な状態で取得された前記冷蔵・冷凍設備の電流情報と、前記フィルタ清掃後、状態推定実施前に所定の時間間隔で１又は複数回取得された電流情報を記憶部に記憶保持する処理と、
状態推定実施時点で取得した前記電流情報と前記記憶部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出する処理と、
前記状態推定実施時点で取得した前記電流情報の変化度合いと、前記記憶部に保持されている前記電流情報のうち少なくとも１対の前記電流情報に関する変化度合いとに基づき、前記冷蔵・冷凍設備のフィルタ清掃が実施されたか否かの判定を行う処理と、をコンピュータに実行させるプログラムが提供される。【００２７】
本発明の一形態によれば、冷蔵・冷凍設備の電源供給部での電流情報を取得する処理と、
前記冷蔵・冷凍設備のフィルタ清掃後の前記フィルタが清浄な状態で取得された前記冷蔵・冷凍設備の電流情報と、前記フィルタ清掃後、状態推定実施前に所定の時間間隔で１又は複数回取得された電流情報を記憶部に記憶保持する処理と、
状態推定実施時点で取得した前記電流情報と前記記憶部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出する処理と、
前記状態推定実施時点で取得した前記電流情報の変化度合いと、前記記憶部に保持されている前記電流情報のうち少なくとも１対の前記電流情報に関する変化度合いとに基づき、前記冷蔵・冷凍設備のフィルタ清掃が実施されたか否かの判定を行う処理と、をコンピュータに実行させるプログラムを記憶したコンピュータ読み出し可能なプログラム記録媒体（例えばＲＡＭ（Random Access Memory）、ＲＯＭ（Read Only Memory）、又は、ＥＥＰＲＯＭ（Electrically Erasable and Programmable ROM））等の半導体ストレージ、ＨＤＤ（Hard Disk Drive）、ＣＤ（Compact Disc）、ＤＶＤ（Digital Versatile Disc）等の非一時的記録媒体（non-transitory medium）が提供される。
【発明の効果】
【００２８】
本発明によれば、冷蔵・冷凍設備等の改変・改造や、環境情報を取得するためのセンサの導入等を不要とし、例えば冷蔵・冷凍設備等を既に導入している顧客店舗等において当該冷蔵・冷凍設備等のフィルタの清掃が実施されたことの監視を簡易化することができる。
【図面の簡単な説明】
【００２９】
【図１】冷凍ショーケースの構成を例示する図である。
【図２】本発明の例示的な一実施形態の構成を例示する図である。
【図３】本発明の例示的な一実施形態を説明する流れ図である。
【図４】本発明の例示的な一実施形態におけるフィルタ清掃実施判定処理の一例を説明する流れ図である。
【図５】センサの別の例を説明する図である。
【図６】本発明の例示的な実施形態を説明する図である。
【発明を実施するための形態】
【００３０】
本発明の一形態について説明する。本発明の一形態によれば、状態推定装置（例えばメモリに接続されたプロセッサ）は以下の処理を実行する。
冷蔵・冷凍設備の電源供給部（例えば分電盤、電源タップ等）から電流情報を取得し、冷蔵・冷凍設備のフィルタ清掃直後の当該フィルタが清浄な状態で取得した電流情報と、フィルタ清掃が実施されたか否かを判断する時期（状態推定実施時期）より前の時点で、所定の時間間隔で取得した電流情報を電流情報保持部に保持する。
フィルタ清掃が実施されたか否かを判断する時期（状態推定実施時点）に取得した電流情報と、前記電流情報保持部に保持されている前記電流情報（１つの前記電流情報であってもよい）に基づき、前記状態推定実施時点で取得した前記電流情報の変化度合いを導出し、さらに前記電流情報保持部に保持されている前記電流情報のうち少なくとも１対の前記電流情報に関する変化度合いを導出する。
前記電流情報保持部に保持されている前記電流情報のうち少なくとも１対の前記電流情報に関する変化度合いと、前記状態推定実施時点で取得した前記電流情報の変化度合いに基づき、前記冷蔵・冷凍設備のフィルタ清掃が実施されたか否かの判定を行う。
【００３１】
本発明の一形態によれば、冷蔵・冷凍設備のフィルタ（例えば凝縮機フィルタ）の清掃実施判定には、電流情報を計測するだけでよい。すなわち、冷蔵・冷凍設備のフィルタ清掃実施の推定を、例えば店舗設備の電力エネルギーを管理する管理システム（管理サーバ）側に実装することを可能としている。また、本発明の一形態によれば、冷蔵・冷凍設備の環境情報を取得するためのセンサ（圧力センサ、温度センサ）の導入等、冷蔵・冷凍設備の改変・改造等は不要とされる。この結果、冷蔵・冷凍設備を既に導入している顧客店舗等において、冷蔵・冷凍設備のフィルタ清掃実施の判定の簡易化を可能としている。
【００３２】
なお、特許文献１１では、冷蔵・冷凍設備の電流情報の変化度合いに基づき、冷蔵・冷凍設備のフィルタの目詰まり状態を推定する場合、取得した電流情報を基準値と比較している。これに対して、本発明の一形態によれば、状態推定実施時点で取得した電流情報と、電流情報保持部に保持されている電流情報の変化度合いと、電流情報保持部に保持されている、異なる時点で取得された電流情報の変化度合い同士を比較することで、冷蔵・冷凍設備のフィルタ清掃が実施されたか否かを判定しており、特許文献１１のような基準値等は必要とされない。
【００３３】
＜実施形態１＞
図２は、本発明の例示的な実施形態１を説明する図である。以下では、冷蔵・冷凍設備として、図１を参照して説明した冷凍ショーケース２０を例に説明する（ただし、冷蔵・冷凍設備は、冷凍ショーケースに制限されるものでない）。以下では、図１も適宜参照して、一実施形態を説明する。
【００３４】
図２において、センサ３０は、冷凍ショーケース２０の電源供給部に流れる電流情報（冷凍ショーケース２０の消費電流）を取得する。状態推定装置１０は、センサ３０で取得した電流値の時系列データを受け取る。
【００３５】
状態推定装置１０は、電流情報取得部１０１と、評価部１０２と、電流情報保持部１０３と、フィルタ清掃実施判定部１０４、出力部１０５を備えている。
【００３６】
電流情報取得部１０１は、センサ３０から電流情報（電流値の時系列データ）を取得し内部のバッファメモリ（不図示）等に一時的に記憶保持する。
【００３７】
評価部１０２は、今回取得した冷凍ショーケース２０の電力情報と、電流情報保持部１０３に予め記憶保持されるフィルタが清浄な状態での冷凍ショーケース２０の電流情報と今回取得したタイミングより以前に取得した冷凍ショーケース２０の電流情報とに基づき、それぞれの変化度合いを評価する。なお、変化度合いとしては、数値で定量評価してもよいし、変化度合いを、増加大、減少小、相違無し等のカテゴリ（ランク）分けして表現するようにしてもよい。なお、冷凍ショーケース２０のフィルタ清掃又は交換後、時間の結果とともにフィルタの目詰まり等が進行し、冷凍ショーケース２０運転時の電源電流の時間推移は一般に増加傾向を示す。
【００３８】
フィルタ清掃実施判定部１０４は、評価部１０２から出力される変化度合いに基づき、冷凍ショーケース２０のフィルタ２０６の目詰まり状態を推定し、フィルタ清掃実施の判定を行う。
【００３９】
出力部１０５は、フィルタ清掃実施判定部１０４での判定結果（冷凍ショーケース２０のフィルタ清掃実施の有無）を通知（表示）する。出力部１０５は、通信手段を介して、冷凍ショーケース２０のフィルタ清掃が実施されたことを、店舗の管理端末や、POS（Point Of Sale）レジ端末、あるいは、従業員やアルバイトの携帯端末等に通知するようにしてもよい。
【００４０】
電流情報保持部１０３に記憶保持する冷凍ショーケース２０のフィルタが清浄な状態での電流情報に関して、状態推定装置１０は、フィルタ清掃実施の有無の判定を行う前の複数の異なる時点で、電流情報取得部１０１によって取得された電流情報（電流値の時系列データ）から冷凍ショーケース２０のフィルタが清浄な状態での電流情報を導出して記憶保持するようにしてもよい。なお、電流情報は、交流電流の瞬時電流でなく、電流のＲＭＳ（Root Mean Square）値の波形データを用いてもよい。電流情報保持部１０３は、ＲＡＭ、ＥＥＰＲＯＭ、ＨＤＤ等であってもよい。
【００４１】
冷凍ショーケース２０のフィルタ２０６が清浄な状態として、運転開始直後や、フィルタ清掃、フィルタ交換直後が挙げられる。
【００４２】
冷凍ショーケース２０のフィルタ２０６の清掃直後（あるいはフィルタ交換直後）の冷凍ショーケース２０運転時、電流情報取得部１０１で取得した冷凍ショーケース２０の電流情報を電流情報保持部１０３が受け取り、冷凍ショーケース２０のフィルタ２０６が清浄な状態で取得された電流情報として記憶保持するようにしてもよい。電流情報保持部１０３では、冷凍ショーケース２０のフィルタ２０６が清浄な状態で取得された電流情報であることを示すフラグ情報を該電流情報と関連付けして記憶保持するようにしてもよい。
【００４３】
あるいは、冷凍ショーケース２０のフィルタが清浄な状態における電流情報を不図示の制御端末等から設定入力し、電流情報保持部１０３に記憶保持するようにしてもよい。
【００４４】
冷凍ショーケース２０のフィルタ２０６の清掃の実施の有無の判定を行うために、電流情報保持部１０３に保持される、フィルタ２０６の清掃の実施の有無を判定する時期（状態推定実施時期）より前に取得する電流情報については、例えば、毎日、一定の時間毎のように、定期的に電流取得を行い、最新の電流情報のみを保持するようにしてもよい。
【００４５】
あるいは、冷凍ショーケース２０のフィルタ２０６の清掃の実施の有無を判定する時期（例えば何月何日）を予め設定しておき、その時期よりも所定時間だけ前の時点から、電流情報を定期的に取得するようにしてもよい。
【００４６】
本発明の一実施形態によれば、フィルタ２０６の清掃を実施したか否かの判定には、冷凍ショーケース２０の電源電流情報を計測するだけでよい。
【００４７】
すなわち、冷凍ショーケース２０には触れる必要がなく（改造等は不要）、冷凍ショーケース２０を既に導入している顧客店舗への導入を容易化している。
【００４８】
図２に例示するように、冷凍ショーケース２０の電源供給部として、例えば分電盤４０が挙げられる。分電盤４０の分岐配線（給電線）４１に冷凍ショーケース２０が接続される。分電盤４０の該分岐配線４１の電流を、センサ３０で取得し、センサ３０に内蔵される通信インタフェース（不図示）を介して、電流情報取得部１０１に転送される。
【００４９】
センサ３０は、測定電流を巻線比に応じた２次電流に変換するＣＴ（Current Transformer）方式電流センサや、測定電流の周りに生じる磁界を、ホール効果を利用して電圧に変換するホール素子方式電流センサ等であってもよい。あるいは、冷凍ショーケース２０の電源供給部として冷凍ショーケース２０の電源コンセントの電流を、センサ３０を介して電流情報取得部１０１で取得するようにしてもよい。
【００５０】
電流情報取得部１０１は、冷凍ショーケース２０のフィルタ２０６の清掃実施の有無の判定（状態推定実施）を行うタイミングにおいて、センサ３０に対して、電流値を計測し電流値の時系列データを送信するように、センサ３０に測定コマンドを送信し、センサ３０は、この測定コマンドに基づき、冷凍ショーケース２０の電流を測定し、測定結果を電流情報取得部１０１に送信するようにしてもよい。
【００５１】
フィルタ２０６の清掃実施の有無の判定を行うタイミングは、一定期間の幅をもっていてもよい。例えば、フィルタ２０６の清掃の実施の有無の判定を行い、フィルタ清掃実施済みと判定された場合、該判定実施当日から、予め定められた期間経過後に、次回のフィルタ２０６の清掃の実施の有無の判定を行うようにしてもよい。あるいは、フィルタ清掃未実施と判断された場合、該判定実施当日から、次の判定実施日までの期間を短縮するようにしてもよい。例えばフィルタ２０６の清掃実施の有無の判定間隔が１週間である場合、判定実施当日にフィルタ清掃未実施と判断された場合、例えば翌日を次回のフィルタ清掃実施の有無の判定日としてもよい。この場合、判定実施当日は、翌日の判定実施日（状態判定実施時点）に対して、状態判定実施前に該当することから、判定実施当日の冷凍ショーケース２０のフィルタ２０６の電流情報は、電流情報保持部１０３に記憶保持される。
【００５２】
フィルタ２０６の清掃の実施の有無の判定を行うタイミングは、状態推定装置１０内で保持する不図示のタイマ（システム時計）等で、次のフィルタ清掃の実施の有無の判定のタイミングまでの時間を設定し、該タイマのタイムアウト時、電流情報取得部１０１が、センサ３０に対して測定コマンドを送信し、センサ３０から、冷凍ショーケース２０の電流の測定結果（電流値の時系列データ）を取得するようにしてもよい。
【００５３】
図３は、実施形態の動作を説明する流れ図である。電流情報取得部１０１は、冷凍ショーケース２０の電流情報（電流値の時系列データ：電流波形）を取得し、電流情報保持部１０３に記憶する（Ｓ１１）。なお、上述したように、冷凍ショーケース２０の電流情報は、一定時間間隔で取得するようにしてもよいし、状態推定実施時点よりも、所定期間前の時点から一定時間間隔で取得するようにしてもよい。
【００５４】
電流情報取得部１０１は、状態推定実施時点の電流情報を取得する（Ｓ１２）。
【００５５】
評価部１０２は、状態推定実施時点の電流情報の変化度合いと、電流情報保持部１０３に保持されている、異なる時点で取得された少なくとも１対の電流情報の変化度合いを評価し（Ｓ１３）、それぞれの変化度合いが予め定められた条件に合致しているか否かを判定する（Ｓ１４）。ステップＳ１３において、評価部１０２は、
状態推定実施時点で取得した（今回取得した）電流情報と、フィルタ２０６が清浄な状態での電流情報との変化度合いと、
今回取得したタイミング（状態推定実施時点）よりも以前に異なる時点で取得された電流情報と、フィルタ２０６が清浄な状態での電流情報からの変化度合いと、
をそれぞれ評価し、ステップＳ１４において、それぞれの変化度合いが予め定められた条件に合致しているか否かを判定するようにしてもよい。
【００５６】
あるいは、ステップＳ１３において、評価部１０２は、
状態推定実施時点で取得した（今回取得した）電流情報と、前回取得した電流情報との変化度合いと、
今回取得したタイミング（状態推定実施時点）よりも以前に、互いに前後して取得された少なくとも１対の電流情報の変化度合いと、
それぞれを評価し、ステップＳ１４において、それぞれの変化度合いが予め定められた条件に合致しているか否かを判定するようにしてもよい。
【００５７】
フィルタ清掃実施判定部１０４は、それぞれの変化度合いが条件と合致する場合（Ｓ１４のＹＥＳ分岐）、フィルタ２０６の清掃が実施された（状態推定実施時とその直前の電流情報取得時点の間で清掃が実施された）と推定し、フィルタ清掃実施と判定する（Ｓ１５）。一方、条件と合致しない場合、フィルタ清掃実施判定部１０４は、フィルタ清掃未実施と判定する（Ｓ１６）。
【００５８】
評価部１０２は、例えばフィルタ２０６の清掃以降、状態推定実施時点までに取得され電流情報保持部１０３に保持されている電流情報のうち異なる時点で取得された複数の前記電流情報に基づき、電流情報の変化度合いの傾向変動を導出し、フィルタ清掃実施判定部１０４では、状態推定実施時点で取得した電流情報が、電流情報の変化度合いの変動傾向から外れ、フィルタ２０６が清浄な状態での電流情報に近づくか一致する場合、当該状態推定実施時点と、当該状態推定実施時点よりも前に、前記電流情報の変化度合いの傾向変動の導出に用いた最後の電流情報の取得時点との間で、フィルタ２０６の清掃が実施されたものと判定するようにしてもよい。
【００５９】
冷凍ショーケース２０において、フィルタ２０６の目詰まりによって、送風機２０８、圧縮機２０１等の運転効率が変化する。運転効率の変化により、圧縮機２０１（定速運転方式）による温度制御運転（間欠運転）の頻度が変化する。また、フィルタ２０６の目詰まりに伴い、圧縮機２０１等の冷却負荷が増大し、消費電流（電力）が増大する。これは、インバータ制御方式の圧縮機２０１の場合も同様である。
【００６０】
評価部１０２は、電流情報の変化度合いの評価として、取得した電流情報（時系列データ）に対して、外れ値検出を行うようにしてもよい。あるいは、電流情報（電流波形）同士の相関係数や、電流情報の最大値等の統計値の比較を用いるようにしてもよい。
【００６１】
外れ値は、簡単な例では、検定対象のサンプル（取得された電流情報）をｘとし、μを平均とし、偏差ｘ−μを標準偏差σで割った検定統計量
2020136756.tif 000003
・・・（１）
又は、その絶対値を求め、ｘがμ±２σから３σの外であれば、外れ値とするようにしてもよい。
【００６２】
例えば、評価部１０２は、電流情報取得部１０１で取得された電流情報をｘ[i]（i=1,…, N:Nは時系列データのサイズ（サンプリング個数））とし、電流情報保持部１０３に予め記憶保持されるフィルタ２０６が正常時における電流の各時点（サンプルポイント）での上限値をｘU[i]、下限値をｘL[i]とし、
2020136756.tif 000004
・・・（２）
を求める。τ[i]に関して、予め定められたインデックスｉ、特定のｉ、あるいはｉに関する所定数の和（総和）等が、例えば２から３を超える場合、該ｉでの値ｘ[i]（あるいは、ｉに関する和（総和））を、外れ値としてもよい。標準偏差σは、電流情報保持部１０３に正常状態での電流情報を記憶保持する際に算出し記憶保持するようにしてもよい。なお、標準偏差σについても、各サンプルポイント、あるいはいくつかの代表点等での標準偏差σ[i]を算出しておき、これらのσ[i]を、式（２）のσとして用いるようにしてもよい。
【００６３】
なお、上記した外れ値検出は初等的手法の一例を示したものであり、クラスター分析の代表的な手法であるk平均法(k-means)等、サポートベクターマシン等を用いて外れ値検出を行うようにしてもよいことは勿論である。
【００６４】
評価部１０２において、今回（状態推定実施のタイミングで）取得した電流情報が、フィルタが清浄な状態での電流情報に対しては外れ値が検出されず、今回取得したタイミングより以前に取得した電流情報に対してのみ外れ値を検出した場合、フィルタ清掃実施判定部１０４では、フィルタ２０６の清掃が有った（清掃実施有り）と判定するようにしてもよい。
【００６５】
あるいは、評価部１０２は、電流情報取得部１０１で取得された電流情報（長さNの時系列データ）ｘ[i] (i=1,…, N)と、電流情報保持部１０３に予め記憶保持される電流情報（長さNの時系列データ）ｙ[i]の相関値r（相互相関値）を計算する。
【００６６】
2020136756.tif 000005
・・・・（３）
【００６７】
状態推定実施時点で取得した電流情報と、フィルタが清浄な状態での電流情報との相関値ｒが、状態推定実施時点よりも以前に取得され電流情報保持部１０３に記憶保持されている電流情報と、フィルタが清浄な状態での電流情報との相関値よりも大きい場合、フィルタ清掃実施判定部１０４では、フィルタ２０６の清掃があったと判定するようにしてもよい。すなわち、状態推定実施時点で取得した電流情報とフィルタが清浄な状態での電流情報との変化度合いが、状態推定実施時点で取得した電流情報が、フィルタが清浄な状態での電流情報に、より類似する方向に変化したことを意味する。
【００６８】
あるいは、評価部１０２は、今回（状態推定実施時点で）取得した電流情報(長さNの時系列データ)x[i] (i=1,…, N)と、状態推定実施時点よりも以前の各時点で取得され電流情報保持部１０３に記憶保持されている電流情報(長さNの時系列データ)y[i] (i=1,…, N)との差分
d[i] =x[i] - y[i]
を計算し、今回（状態推定実施時点で）取得した電流情報ｘとフィルタが清浄な状態での電流情報の差分の統計値（最大、最小、平均等）が、今回（状態推定実施時点で）取得した電流情報ｘと今回（状態推定実施時点）より以前に取得した電流情報yとの差分d[i]の統計値よりも小さい場合、フィルタ清掃実施判定部１０４では、フィルタ２０６の清掃が有った（清掃実施有り）と判定するようにしてもよい。
【００６９】
評価部１０２は、取得した電流情報（電流値の時系列データ）ｘ[i] (i=1,…, N)について、予め定められた期間nについての平均値
2020136756.tif 000006
・・・（４）
を求め(ｊは所定の正整数)、該平均値-ｘ[j]について、上記した外れ値検出や相関を計算することで、精度の向上を図るようにしてもよい。
【００７０】
図４は、本実施形態の一例を説明する図である。電流情報取得部１０１は、冷凍ショーケース２０の電源電流（電源供給部の電流）をフィルタ２０６の清掃後、１日に一回、電流情報保持部１０３に記憶保持する。あるいは、電流情報取得部１０１は、一日に所定時間毎に冷凍ショーケース２０の電源電流を複数回測定し、１日に１つの代表値を電流情報保持部１０３に記憶保持するようにしてもよい。
【００７１】
評価部１０２は、電流情報保持部１０３に保持されている、状態推定実施時点よりも以前に取得された各電流情報と、フィルタ２０６が清浄な状態で取得された電流情報（フィルタ清掃日の電流情報）との相関値（●印で示す：フィルタ清掃直後を基準とする相関値）、及び、状態推定実施時点で取得された電流情報と、フィルタ２０６が清浄な状態で取得された電流情報（フィルタ清掃日の電流情報）との相関値（●印で示す）を計算する。
【００７２】
フィルタ清掃実施判定部１０４は、状態推定実施時点（N日）の電流情報と、フィルタ２０６が清浄な状態で取得された電流情報（フィルタ清掃日の電流情報）との相関値が、電流情報保持部１０３に保持されている、N-1日までの各電流情報と、フィルタ２０６が清浄な状態で取得された電流情報（フィルタ清掃日の電流情報）との相関値の減少傾向変動から（フィルタ清掃日の電流情報を基準とした各電源電流の相関値は時間の推移とともに減少する）、一転、増加に転じた場合（相関値が１に近づいた場合）、フィルタ２０６の清掃が有ったものと判定する。すなわち、フィルタ清掃実施判定部１０４は、状態推定実施時点と前回の電流情報取得時点の間でフィルタ２０６の清掃が実施されたものと判定する。
【００７３】
あるいは、評価部１０２は、直前の電流情報を基準として、電流情報保持部１０３に保持され取得時点が相前後する各一対の電流情報の相関値（▲印で示す：直前を基準とする相関値）を計算し、さらに、状態推定実施時点（N日）の電流情報と状態推定実施時点の１つ前（N-1日）に取得された前記電流情報の１対の電流情報の相関値（▲印で示す）を計算する。
【００７４】
フィルタ清掃実施判定部１０４は、状態推定実施時点（N日）の電流情報と状態推定実施時点の１つ前（N日の前日：N-1日）に取得された電流情報の１対の電流情報の相関値が、フィルタ２０６の清掃以降、取得時点が相前後する前記各一対の電流情報の相関値の時間推移の傾向変動から外れて減少に転じた場合（N-1日の電流波形から類似していない場合）、フィルタ２０６の清掃が有ったものと判定する。すなわち、フィルタ清掃実施判定部１０４は、状態推定実施時点と状態推定実施時点の例えば１つ前の電流取得時点との間でフィルタ２０６の清掃が実施されたものと判定する。直前の電流情報を基準とした１対の電流情報（電流波形）は互いに類似しており、N-1日までのそれぞれの相関値の時間変動は小さい。フィルタ２０６の清掃が実施されると、N-1日（フィルタ２０６の清掃実施前）とN日の電流情報は非類似となり、相関値は大きく減少する。
【００７５】
なお、上記実施形態では、電流情報取得部１０１はセンサ３０から冷凍ショーケース２０の電源供給部に流れる電流情報を取得しているが、電流情報取得部１０１は、冷凍ショーケース２０の電源供給部での電力情報を取得し、電力情報から電流情報を算出（推定）し、評価部１０２に供給するようにしてもよい。最も単純な計算では、三相3線式の場合電力P、電流I、電圧Vに関して、P= √3×I× V×cosθ（cosθは力率）等を用いることができる（I=P / (√3 × V × cosθ) ）。
【００７６】
図５は、冷凍ショーケース２０の電源供給部の電力を測定するセンサ３０Ａの一例を示す図である。この場合、冷凍ショーケース２０の電源供給部は電源プラグ２１６である。図５を参照すると、センサ３０Ａは、電源プラグ２１６を差し込む電源コンセントを備え、さらに、電源コンセントの端子間電圧を測定する電圧計３０１と、電流を測定する電流計３０４を備える。電圧計３０１は、端子間電圧を降圧する降圧回路３０２と、降圧回路３０２のアナログ出力電圧をデジタル信号に変換するアナログデジタル変換器３０３を備えている。電流計３０４は、電源ライン（負荷）に流れる電流を検知する電流検知回路３０５と、電流検知回路３０５のアナログ出力電圧をデジタル信号に変換するアナログデジタル変換器３０６を備えている。電圧計３０１のアナログデジタル変換器３０３からの電圧波形データと、電流計３０４のアナログデジタル変換器３０６からの電力波形データは、例えば乗算器３０７で乗算され、瞬時電力波形が得られる。瞬時電力波形は、有効電力算出部３０８で平滑化され、有効電力値が算出される。電圧波形データ、電力波形データ、瞬時電力波形、有効電力値は、通信部３０９に入力される。通信部３０９は、電流の時系列データ（波形データ）、又は、電力値の時系列データ(波形データ）を状態推定装置１０に送信する。その際、通信部３０９は、状態推定装置１０からの測定コマンドを受信した場合に、電流値の時系列データ（波形データ）、及び／又は、電力値の時系列データ(波形データ）を送信するようにしてもよい。図５において、ＡＣ(Alternate Current)―ＤＣ(Direct Current)コンバータ／ＤＣ−ＤＣコンバータ３１０はＡＣ（交流）電源からＤＣ（直流）電源を生成し、アナログデジタル変換器３０３、３０６、乗算器３０７、有効電力算出部３０８、通信部３０９にＤＣ電源を供給する。なお、図５には、単相２線式交流が例示されているが、三相３線式の交流の場合も、例えば三台の単相電力計を用いて測定できる。あるいは、電力について２電力計法に基づく測定を行うようにしてもよい。
【００７７】
なお、図２の状態推定装置１０は、例えば図６に示すように、コンピュータ装置に実装してもよい。図６を参照すると、サーバコンピュータ等のコンピュータ装置１１０は、プロセッサ（ＣＰＵ（Central Processing Unit）、データ処理装置）１１１、半導体メモリ（例えばＲＡＭ（Random Access Memory）、ＲＯＭ（Read Only Memory）、又は、ＥＥＰＲＯＭ（Electrically Erasable and Programmable ROM）等）、ＨＤＤ（Hard Disk Drive）、ＣＤ（Compact Disc）、ＤＶＤ（Digital Versatile Disc）等の少なくともいずれかを含む記憶装置１１２と、表示装置１１３と、通信インタフェース１１４を備えている。通信インタフェース１１４は、図２のセンサ３０で取得した電力、電流情報を、通信網を介して取得する通信部として機能する。記憶装置１１２に図２の状態推定装置１０の機能を実現するプログラムを記憶しておき、プロセッサ１１１が、該プログラムを読み出して実行することで、上記した実施形態の状態推定装置１０を実現するようにしてもよい。
【００７８】
上記実施形態では、平型オープンショーケースの例を説明したが、縦型のオープンショーケースに対しても適用可能であることは勿論である。また、冷蔵、冷凍オープンショーケースに制限されるものでなく、他の冷蔵・冷凍設備にも適用可能であることは勿論である。この場合、冷蔵・冷凍設備の種類、用途、容量、規模等によっては、図６のコンピュータ装置１１０では、分電盤（図２の４０）等に流れる合成電流波形を機器毎に波形分離（disaggregation）して得た冷蔵・冷凍設備の電流波形等に基づき、該冷蔵・冷凍設備のフィルタ清掃が実施されたか否かの判定を行うようにしてもよいことは勿論である。
【００７９】
なお、上記の特許文献１−１２の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ乃至選択が可能である。すなわち、本発明は、請求の範囲を含む全開示、技術的思想にしたがって当業者であればなし得るであろう各種変形、修正を含むことは勿論である。
【符号の説明】
【００８０】
１０  状態推定装置
２０  冷凍ショーケース
３０  センサ（電流センサ）
３０Ａ  センサ（電力、電流センサ）
４０  分電盤
４１  分岐配線（給電線）
１０１  電流情報取得部
１０２  評価部
１０３  電流情報保持部
１０４  フィルタ清掃実施判定部
１０５  出力部
１１０  コンピュータ装置
１１１  プロセッサ
１１２  記憶装置
１１３  表示装置
１１４  通信インタフェース
２０１  圧縮機（コンプレッサ）
２０２  凝縮機（コンデンサ）
２０３  膨張機
２０５  バイパス弁
２０６  フィルタ（エアフィルタ）
２０７  廃熱口
２０９  制御装置
２１１  送風機
２１２  エアダクト
２１３  供給口
２１４  吸引口
２１５  陳列室
２１６  電源プラグ
３０１  電圧計
３０２  降圧回路
３０３、３０６  アナログデジタル変換器
３０４  電流計
３０５  電流検知回路
３０７  乗算器
３０８  有効電力算出部
３０９  通信部
３１０  ＡＣ−ＤＣコンバータ／ＤＣ−ＤＣコンバータ
【図１】
2020136756.tif 000007
【図２】
2020136756.tif 000008
【図３】
2020136756.tif 000009
【図４】
2020136756.tif 000010
【図５】
2020136756.tif 000011
【図６】
2020136756.tif 000012
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
冷蔵・冷凍設備の電源供給部での電流情報を取得する電流情報取得部と、
前記冷蔵・冷凍設備のフィルタが清浄な状態で取得された前記冷蔵・冷凍設備の電流情報と、状態推定実施前に、所定の時間間隔で１又は複数回取得された前記冷蔵・冷凍設備の電流情報を保持する電流情報保持部と、
状態推定実施時点で取得した前記電流情報と前記電流情報保持部に保持されている前記電流情報とに基づき、前記状態推定実施時点で取得した前記電流情報の変化度合いを導出し、さらに前記電流情報保持部に保持されている前記電流情報のうち少なくとも１対の前記電流情報に関する変化度合いを導出する評価部と、
前記状態推定実施時点で取得した前記電流情報の変化度合いと、前記電流情報保持部に保持されている前記電流情報のうち少なくとも１対の前記電流情報に関する変化度合いとに基づき、前記冷蔵・冷凍設備のフィルタ清掃が実施されたか否かの判定を行うフィルタ清掃実施判定部と、
前記判定結果を出力する出力部と、
を備えた状態推定装置。
【請求項２】
前記評価部は、前記電流情報保持部に保持されている、取得時点が異なる複数の前記電流情報から、前記冷蔵・冷凍設備の電流情報の変化度合いの傾向変動を導出し、
前記フィルタ清掃実施判定部は、前記状態推定実施時点で取得した前記電流情報の変化度合いが、前記電流情報の変化度合いの前記傾向変動から外れ、前記状態推定実施時点で取得した前記電流情報が、前記フィルタが清浄な状態での前記電流情報に近づくか一致する場合、前記フィルタの清掃が実施されたものと判定する、ことを特徴とする請求項１に記載の状態推定装置。
【請求項３】
前記評価部は、前記電流情報保持部に保持されている、取得時点の異なる前記各電流情報と前記フィルタが清浄な状態で取得された前記電流情報との相関値と、
前記状態推定実施時点の前記電流情報と前記フィルタが清浄な状態で取得された前記電流情報との相関値を計算し、
前記フィルタ清掃実施判定部は、前記状態推定実施時点の前記電流情報と前記フィルタが清浄な状態で取得された前記電流情報との前記相関値が、前記電流情報保持部に保持されている、取得時点の異なる前記各電流情報と前記フィルタが清浄な状態で取得された前記電流情報との前記相関値の減少傾向変動から、増加に転じた場合、前記フィルタの清掃が実施されたものと判定する、ことを特徴とする請求項１又は２に記載の状態推定装置。
【請求項４】
前記評価部は、前記電流情報保持部に保持されている、取得時点が相前後する各一対の電流情報の相関値を計算し、前記状態推定実施時点の前記電流情報と前記状態推定実施時点の１つ前に取得された前記電流情報との相関値を計算し、
前記フィルタ清掃実施判定部は、前記状態推定実施時点の前記電流情報と前記状態推定実施時点の１つ前に取得された前記電流情報との相関値が、前記電流情報保持部に保持されている、取得時点が相前後する各一対の電流情報の相関値の傾向変動から外れて減少に転じた場合、前記フィルタの清掃が実施されたものと判定する、ことを特徴とする請求項１又は２に記載の状態推定装置。
【請求項５】
前記評価部は、前記状態推定実施時点に取得した前記電流情報に対して外れ値検出を行い、
前記フィルタ清掃実施判定部は、前記状態推定実施時点の電流情報が、前記状態推定実施前の電流情報に対してのみ外れ値と判定された場合、前記フィルタの清掃が実施されたものと判定する、ことを特徴とする請求項１又は２に記載の状態推定装置。
【請求項６】
前記評価部は、前記状態推定実施時点に取得した前記電流情報と、前記電流情報保持部に保持されている前記電流情報との差分値を計算し、
前記フィルタが清浄な状態での電流情報に対する差分の統計値が、前記状態推定実施前に取得され前記電流情報保持部に保持されている電流情報に対する差分の統計値よりも小さい場合、前記フィルタ清掃実施判定部は、前記フィルタの清掃が実施されたものと判定する、ことを特徴とする請求項１又は２に記載の状態推定装置。
【請求項７】
前記評価部は、取得した前記電流情報の所定区間毎の平均値に基づき、前記相関値又は前記外れ値を計算する、ことを特徴とする請求項４又は５に記載の状態推定装置。
【請求項８】
冷蔵・冷凍設備の電源供給部での電流情報を取得し、
前記冷蔵・冷凍設備のフィルタ清掃後の前記フィルタが清浄な状態で取得された前記冷蔵・冷凍設備の電流情報と、前記フィルタ清掃後、状態推定実施前に所定の時間間隔で１又は複数回取得された電流情報を記憶部に保持し、
状態推定実施時点で取得した前記電流情報と前記記憶部に保持されている前記電流情報とに基づき、前記状態推定実施時点で取得した前記電流情報の変化度合いを導出し、さらに前記記憶部に保持されている前記電流情報のうち少なくとも１対の前記電流情報に関する変化度合いを導出し、
前記状態推定実施時点で取得した前記電流情報の変化度合いと、前記記憶部に保持されている前記電流情報のうち少なくとも１対の前記電流情報に関する変化度合いとに基づき、前記冷蔵・冷凍設備のフィルタ清掃が実施されたか否かの判定を行う、ことを特徴とする状態推定方法。
【請求項９】
前記記憶部に保持されている、取得時点が異なる複数の前記電流情報から、前記冷蔵・冷凍設備の電流情報の変化度合いの傾向変動を導出し、
前記状態推定実施時点で取得した前記電流情報の変化度合いが、前記電流情報の変化度合いの前記傾向変動から外れ、前記状態推定実施時点で取得した前記電流情報が、前記フィルタが清浄な状態での前記電流情報に近づくか一致する場合、前記フィルタの清掃が実施されたものと判定する、ことを特徴とする請求項８に記載の状態推定方法。
【請求項１０】
冷蔵・冷凍設備の電源供給部での電流情報を取得する処理と、
前記冷蔵・冷凍設備のフィルタ清掃後の前記フィルタが清浄な状態で取得された前記冷蔵・冷凍設備の電流情報と、前記フィルタ清掃後、状態推定実施前に所定の時間間隔で１又は複数回取得された電流情報を記憶部に記憶保持する処理と、
状態推定実施時点で取得した前記電流情報と前記記憶部に保持されている前記電流情報とに基づき、前記状態推定実施時点で取得した前記電流情報の変化度合いを導出し、さらに前記記憶部に保持されている前記電流情報のうち少なくとも１対の前記電流情報に関する変化度合いを導出する処理と、
前記状態推定実施時点で取得した前記電流情報の変化度合いと、前記記憶部に保持されている前記電流情報のうち少なくとも１対の前記電流情報に関する変化度合いとに基づき、前記冷蔵・冷凍設備のフィルタ清掃が実施されたか否かの判定を行う処理と、をコンピュータに実行させるプログラム。
【手続補正３】
【補正対象書類名】明細書
【補正対象項目名】０００１
【補正方法】変更
【補正の内容】
【０００１】
本発明は、状態推定装置と方法とプログラムに関する。
【手続補正４】
【補正対象書類名】明細書
【補正対象項目名】００２３
【補正方法】変更
【補正の内容】
【００２３】
本発明は、上記課題に鑑みて創案されたものであって、その目的は、冷蔵・冷凍設備等の改変・改造や、環境情報を取得するためのセンサの導入等を不要とし、例えば冷蔵・冷凍設備等を既に導入している顧客店舗等において当該冷蔵・冷凍設備等のフィルタの清掃が実施されたことの監視を簡易化する装置、方法、プログラムを提供することにある。
【手続補正５】
【補正対象書類名】明細書
【補正対象項目名】００６９
【補正方法】変更
【補正の内容】
【００６９】
評価部１０２は、取得した電流情報（電流値の時系列データ）ｘ[i] (i=1,…, N)について、予め定められた期間nについての平均値
2020136756.tif 000013
・・・（４）
を求め(ｊは所定の正整数)、該平均値
2020136756.tif 000014
について、上記した外れ値検出や相関を計算することで、精度の向上を図るようにしてもよい。
【国際調査報告】
2020136756.tif 000015
2020136756.tif 000016
2020136756.tif 000017
2020136756.tif 000018
2020136756.tif 000019
2020136756.tif 000020
2020136756.tif 000021
2020136756.tif 000022